(57)【要約】【課題】  複写する原稿の課金情報の管理をする。【解決手段】  複写機１００は、原稿の複写指示を受け付ける指示受付部１０２と、原稿を複写する複写処理部１０４と、複写する原稿に付された無線タグから、情報を読み取るタグ情報読取部１１２と、タグ情報読取部１１２が読み取った情報に基づき、原稿の複写に対して原稿に応じて加算される加算料金に関する情報および当該加算料金の分配先の識別情報を取得する複写条件取得部１１４と、複写処理部１０４による複写処理を制御する複写処理制御部１１８と、複写処理部１０４の処理に基づく加算料金の合計を示す情報を、当該加算料金の分配先の識別情報に対応付けて記憶する複写履歴記憶部１２３と、を含む。【選択図】        図１
2006133509.tif 000002
【特許請求の範囲】
【請求項１】
原稿の複写指示を受け付ける受付手段と、
原稿を複写する複写手段と、
複写する原稿に付された無線タグから、情報を読み取るタグ情報読取手段と、
前記タグ情報読取手段が読み取った情報に基づき、原稿の複写に対して前記原稿に応じて加算される加算料金に関する情報および当該加算料金の分配先の識別情報を取得するとともに、前記複写手段による複写処理を制御する複写制御手段と、
前記複写制御手段による複写処理に基づく前記加算料金の合計を示す情報を、当該加算料金の分配先の識別情報に対応付けて出力する出力手段と、
を含むことを特徴とする複写サービスシステム。
【請求項２】
請求項１に記載の複写サービスシステムにおいて、
前記複写制御手段による複写処理に基づく前記加算料金の合計を示す情報を、当該加算料金の分配先の識別情報に対応付けて記憶する履歴記憶手段をさらに含むことを特徴とする複写サービスシステム。
【請求項３】
請求項１または２に記載の複写サービスシステムにおいて、
原稿の複写に対して、ユーザから複写機の利用料金を徴収する利用料金徴収手段をさらに含み、
前記加算料金は、前記複写機の利用料金に加えて原稿に応じて加算される料金であることを特徴とする複写サービスシステム。
【請求項４】
請求項１乃至３いずれかに記載の複写サービスシステムにおいて、
前記複写制御手段による複写処理に対する前記加算料金の合計を算出する算出手段をさらに含み、
前記出力手段は、前記合計と、前記加算料金の分配先の識別情報とを対応付けて出力することを特徴とする複写サービスシステム。
【請求項５】
請求項１乃至４いずれかに記載の複写サービスシステムにおいて、
前記無線タグには、原稿の識別情報が記憶されており、
前記タグ情報読取手段が読み取った原稿の識別情報に基づき、対応する原稿の前記加算料金に関する情報を取得する取得手段をさらに含むことを特徴とする複写サービスシステム。
【請求項６】
請求項５に記載の複写サービスシステムにおいて、
原稿の識別情報と、当該原稿の前記加算料金に関する情報とを対応付けて記憶する条件記憶手段をさらに含み、
前記取得手段は、前記条件記憶手段から、前記加算料金に関する情報を取得することを特徴とする複写サービスシステム。
【請求項７】
請求項１乃至６いずれかに記載の複写サービスシステムにおいて、
前記複写制御手段は、前記タグ情報読取手段が前記無線タグから情報を読み取ったか否かを判断するとともに、前記タグ情報読取手段が前記無線タグから情報を読み取れない場合に、前記複写手段による当該原稿の複写処理を制限することを特徴とする複写サービスシステム。
【請求項８】
請求項１乃至７いずれかに記載の複写サービスシステムにおいて、
前記タグ情報読取手段が前記無線タグから情報を読み取れない場合であっても、前記複写手段による複写を行うようにする設定を記憶する設定記憶手段をさらに含み、
前記複写制御手段は、前記設定記憶手段を参照して、前記複写手段の処理を制御することを特徴とする複写サービスシステム。
【請求項９】
請求項８に記載の複写サービスシステムにおいて、
前記タグ情報読取手段が前記無線タグから情報を読み取れない場合であっても、前記複写手段による複写を行うようにする指示を受け付ける受付手段と、
前記受付手段が前記指示を受け付けた場合に、当該指示を認証する認証手段と、
をさらに含み、
前記受付手段は、前記認証手段が前記指示を認証した場合に、当該指示を前記設定記憶手段に記憶することを特徴とする複写サービスシステム。
【請求項１０】
原稿を複写する複写手段と、
複写対象の原稿に付された無線タグから、情報を読み取るタグ情報読取手段と、
前記タグ情報読取手段が読み取った情報に基づき、原稿の複写に対して前記原稿に応じて加算される加算料金に関する情報を取得する複写制御手段と、
前記加算料金に関する情報を出力する出力手段と、
を含むことを特徴とする複写機。
【発明の詳細な説明】
【技術分野】
【０００１】
この発明は、複写サービスシステム加算料金および複写機に関し、とくに無線タグ情報を読取可能な複写機およびそれを含む複写サービスシステムに関する。
【背景技術】
【０００２】
従来、原稿の種類に応じてコピー許可等の管理ができる画像複写装置が提案されている。特許文献１には、原稿に貼付された共振タグから受信した電波に基づいて、原稿載置箇所にある共振タグの種類を識別し、その識別結果によりコピーの許可等の動作を決定する複写機が開示されている。
【特許文献１】特開２００３−３７６９４号公報
【発明の開示】
【発明が解決しようとする課題】
【０００３】
しかし、たとえばコピーするのに著作権料が必要な原稿をコピーする場合、原稿によって著作権料が異なったり支払先が異なったりするが、従来の複写機においては、このような課金情報の管理を行うことができなかった。
【０００４】
本発明はこうした点に鑑みてなされたもので、その目的は、複写する原稿の課金情報の管理をする技術の提供にある。
【課題を解決するための手段】
【０００５】
本発明によれば、原稿の複写指示を受け付ける受付手段と、原稿を複写する複写手段と、複写する原稿に付された無線タグから、情報を読み取るタグ情報読取手段と、前記タグ情報読取手段が読み取った情報に基づき、原稿の複写に対して前記原稿に応じて加算される加算料金に関する情報および当該加算料金の分配先の識別情報を取得するとともに、前記複写手段による複写処理を制御する複写制御手段と、前記複写制御手段による複写処理に基づく前記加算料金の合計を示す情報を、当該加算料金の分配先の識別情報に対応付けて出力する出力手段と、を含むことを特徴とする複写サービスシステムが提供される。
【０００６】
複写サービスシステムは、複写機を含むことができる。ここで、分配先には、加算料金の少なくとも一部が分配される。また、加算料金は、複数の分配先に分配されてもよい。たとえば、分配先は、原稿の著者、出版社、著作権使用許可制度を管理する所定の団体、著作物の使用権者等の一部または全部とすることができる。また、加算料金は、複写機が設置される施設が徴収する手数料を含むこともでき、分配先には、複写機が設置される施設も含めることができる。さらに、無線タグは、複写する原稿自体に取り付けられていてもよく、複写対象の紙を束ねたバインダ等に取り付けられていてもよい。
【０００７】
本発明によれば、加算料金がある場合に、その分配先の識別情報に対応付けて加算料金の合計を示す情報が出力されるので、それらの情報に基づき、加算料金の管理を行うことができる。また、複写する原稿に付された無線タグから読み取った情報に基づき加算料金や分配先の識別情報が取得されるので、加算料金や分配先の識別情報を間違うことなく管理することができる。
【０００８】
本発明の複写サービスシステムは、前記複写制御手段による複写処理に基づく前記加算料金の合計を示す情報を、当該加算料金の分配先の識別情報に対応付けて記憶する履歴記憶手段をさらに含むことができる。
【０００９】
このようにすれば、加算料金がある場合に、その分配先の識別情報に対応付けて加算料金の合計を示す情報が記憶されるので、履歴記憶手段を参照することにより、加算料金の管理を行うことができる。履歴記憶手段は、複写手段を含む複写機内に設けられてもよく、複写機とネットワークを介して接続された他の端末に設けられてもよい。
【００１０】
本発明の複写サービスシステムは、原稿の複写に対して、ユーザから複写機の利用料金を徴収する利用料金徴収手段をさらに含むことができ、前記加算料金は、前記複写機の利用料金に加えて原稿に応じて加算される料金とすることができる。
【００１１】
本発明の複写サービスシステムは、前記複写制御手段による複写処理に対する前記加算料金の合計を算出する算出手段をさらに含むことができ、前記履歴記憶手段は、前記合計と、前記加算料金の分配先の識別情報とを対応付けて記憶することができる。
【００１２】
上記加算料金の合計を示す情報は、算出手段により算出された合計とすることもでき、またページ毎の加算料金と複写ページとを対応付けたものとすることもできる。
【００１３】
無線タグには、加算料金および分配先の識別情報が記憶されていてもよく、この場合、複写制御手段は、タグ情報読取手段が読み取った情報をそのまま利用することができる。
【００１４】
また、前記無線タグには、原稿の識別情報が記憶されていてもよく、複写サービスシステムは、前記タグ情報読取手段が読み取った原稿の識別情報に基づき、対応する原稿の前記加算料金に関する情報を取得する取得手段をさらに含むことができる。本発明の複写サービスシステムは、原稿の識別情報と、当該原稿の前記加算料金に関する情報とを対応付けて記憶する条件記憶手段をさらに含むことができ、前記取得手段は、前記条件記憶手段から、前記加算料金に関する情報を取得することができる。
【００１５】
本発明の複写サービスシステムは、前記受付手段と、前記複写手段と、前記複写制御手段と、を含む複写機を含むことができる。履歴記憶手段は、前記複写機内に設けられてもよく、前記複写機とネットワークを介して接続された他の端末内に設けられてもよい。また、前記条件記憶手段も、前記複写機内に設けられてもよく、前記複写機とネットワークを介して接続された他の端末内に設けられてもよい。前記履歴記憶手段および前記条件記憶手段は、それぞれ、複数の前記複写機により共有されるようにすることもできる。たとえば、前記条件記憶手段を管理サーバ等に設けて、複数の前記複写機で共有するようにすれば、前記管理サーバの内容を更新することにより、すべての前記複写機で最新の情報を用いることができ、管理が容易となるとともに正確な管理を行うことができる。
【００１６】
本発明の複写サービスシステムにおいて、前記複写制御手段は、前記タグ情報読取手段が前記無線タグから情報を読み取ったか否かを判断するとともに、前記タグ情報読取手段が前記無線タグから情報を読み取れない場合に、前記複写手段による当該原稿の複写処理を制限することができる。
【００１７】
ここで、複写処理の制限は、複写不可とすることもできるが、たとえば複写可能な枚数を制限したり、白黒でのみ複写可能としたり、適宜設定することができる。
【００１８】
これにより、故意に無線タグを原稿から取り外す等して加算料金の支払いを免れようとするユーザが複写をすることを制限することができる。
【００１９】
本発明の複写サービスシステムは、前記タグ情報読取手段が前記無線タグから情報を読み取れない場合であっても、前記複写手段による複写を行うようにする設定を記憶する設定記憶手段をさらに含むことができ、前記複写制御手段は、前記設定記憶手段を参照して、前記複写手段の処理を制御することができる。
【００２０】
たとえば、設定記憶手段は、原稿の読み取りをＡＤＦ（オートドキュメントフィーダ：自動給紙装置）で行う場合は無線タグから情報を読み取れない場合であっても、複写手段による複写を行うようにする設定を記憶することができる。これにより、たとえば著作権料等の加算料金が設定されている確率の高い本や冊子等を複写する際には無線タグが付いていないと複写が行えないようにするとともに、著作権料等の加算料金が設定されていない確率の高い１枚ずつの紙原稿等は自由に複写できるようにすることができる。
【００２１】
本発明の複写サービスシステムは、前記タグ情報読取手段が前記無線タグから情報を読み取れない場合であっても、前記複写手段による複写を行うようにする指示を受け付ける受付手段と、前記受付手段が前記指示を受け付けた場合に、当該指示を認証する認証手段と、をさらに含むことができ、前記受付手段は、前記認証手段が前記指示を認証した場合に、当該指示を前記設定記憶手段に記憶することができる。
【００２２】
ここで、認証手段は、たとえばユーザＩＤ／パスワード受付手段と、ユーザＩＤ／パスワード記憶手段とを含むことができる。また、認証手段は、ＩＤカード受付手段と、ＩＤカード情報記憶手段とを含むこともできる。認証手段は、受付手段が受け付けた情報が記憶手段に記憶された情報と一致するか否かを検出し、一致した場合に指示を認証することができる。これにより、たとえば複写機が設置されている施設の係員が設定記憶手段の設定を変更することができる。
【００２３】
本発明によれば、原稿を複写する複写手段と、複写対象の原稿に付された無線タグから、情報を読み取るタグ情報読取手段と、前記タグ情報読取手段が読み取った情報に基づき、原稿の複写に対して前記原稿に応じて加算される加算料金に関する情報を取得する複写制御手段と、前記加算料金に関する情報を出力する出力手段と、を含むことを特徴とする複写機が提供される。
【００２４】
出力手段は、たとえば複写機に設けられた表示部や複写機外部の近傍に設けられた表示装置等に加算料金に関する情報を表示させることができる。これにより、複写手段による複写に先立ち、複写対象の原稿の加算料金に関する情報を確認することができるので、加算料金に応じて複写するか否か等を判断することができる。
【００２５】
なお、以上の構成要素の任意の組合せ、本発明の表現を方法、装置、システム、記録媒体、コンピュータプログラムなどの間で変換したものもまた、本発明の態様として有効である。
【発明の効果】
【００２６】
本発明によれば、複写する原稿の課金情報の管理をすることができる。
【発明を実施するための最良の形態】
【００２７】
以下の実施の形態において、複写サービスシステムは、原稿の複写物を生成する複写機である。複写機は、たとえば図書館等の施設に設置され、原稿の複写に対して、ユーザから複写機の利用料金（コピー料金）を徴収するように構成される。コピー料金の徴収は、種々の形態で行うことができるが、たとえば、ユーザがプリペイド／ポストペイ機能を有するカードを所定のカード挿入部に挿入し、カードから精算が行われるようにすることができる。また、複写機がコイン投入器と連動して機能するようにして、投入されたコインを徴収するようにすることもできる。さらに、複写機の使用が施設の職員等により管理され、ユーザが窓口で利用料金を支払うようにすることができる。これらは例示であって、その他種々の形態とすることができる。本実施の形態において、コピー料金に加えて加算料金も同時に徴収される。
【００２８】
本実施の形態において、図書館等の施設に配置された書籍には、ＩＣタグ等の無線タグが付される。複写機は、ユーザから書籍等の原稿の複写指示があった場合、その原稿に付された無線タグを読み取り、複写処理を行うとともに、無線タグに記憶された情報に基づき加算料金の管理を行う。
【００２９】
（第一の実施の形態）
本実施の形態において、複写機は、ユーザから原稿の複写指示があった際に、無線タグの読み取りが行われた場合にのみ原稿の複写を行う。
【００３０】
図１は、本実施の形態における複写機の構成を示すブロック図である。
複写機１００は、指示受付部１０２、複写処理部１０４、タグ情報読取部１１２、複写条件取得部１１４、算出部１１６、複写処理制御部１１８、出力処理部１２０、複写条件記憶部１２２、複写履歴記憶部１２３、および処理過程記憶部１３０を含む。
【００３１】
指示受付部１０２は、ユーザからの各種指示を受け付ける。たとえば、指示受付部１０２は、ユーザから原稿の複写指示を受け付ける。
【００３２】
タグ情報読取部１１２は、無線タグのリーダである。本実施の形態において、各原稿に付された無線タグには、その原稿の識別情報が記憶される。タグ情報読取部１１２は、指示受付部１０２がユーザから原稿の複写指示を受け付けると、原稿に付された無線タグからその原稿の識別情報を読み取る。タグ情報読取部１１２は、種々のサイズの原稿に付された無線タグの情報を読み取り可能とするために、複数設置することもできる。
【００３３】
複写条件記憶部１２２は、原稿の識別情報と、その原稿を複写する際に、原稿に応じて加算される加算料金に関する情報とを対応付けて記憶する。ここで、加算料金とは、たとえば著作権料等である。複写条件記憶部１２２は、さらに、原稿の識別情報と、その原稿の複写可否、加算料金の分配先に関する情報、および複写不可の場合の処理に関する情報等とを対応づけて記憶することもできる。
【００３４】
図２は、複写条件記憶部１２２の内部構成の一例を示す図である。
複写条件記憶部１２２は、識別情報欄と、複写可否欄と、加算料金／ページ欄と、分配先欄と、処理欄とを有する。
【００３５】
識別情報欄には、原稿の識別情報が記憶される。複写可否欄には、各識別情報に対応付けて、その原稿の複写の可否が記憶される。加算料金欄には、原稿をコピーする際に、通常のコピー料金の他に必要な著作権料等の加算料金／ページが記憶される。分配先欄には、加算料金の分配先を示す情報が記憶される。処理欄には、原稿を複写できない場合の処理が記憶される。
【００３６】
ここで、識別情報「００１」の原稿は、複写可能となっており、加算料金／ページは「０」となっている。識別情報「００１」の原稿を複写する際には、コピー料金だけが課される。また、識別情報「００２」の原稿は、複写可能となっており、加算料金／ページは「１００円」となっており、その分配先は「ａｂｃ」となっている。識別情報「００２」の原稿を複写する際には、コピー料金に加えて、１ページにつき１００円の加算料金が課される。同様に、識別情報「００３」の原稿は、複写可能となっており、加算料金／ページは「２００円」となっており、その分配先は「ｄｅｆ」となっている。識別情報「００５」の原稿は、コピー不可となっており、処理として、「○○○○−××××」に通知がされるようになっている。また、識別情報「００６」の原稿は、コピー不可となっており、処理として、記録が行われるようになっている。
【００３７】
なお、加算料金は、複写機１００が設置された施設が徴収する手数料を含むこともできる。また、ここでは図示していないが、複写条件記憶部１２２は、加算料金とは別に、複写機１００が設置された施設が徴収する手数料等に関する情報も記憶することができる。このようにしておけば、後に各分配先への加算料金の合計を算出する際に、施設への手数料も考慮して合計額を算出することができ、課金情報の管理をより効率よく行うことができる。このような手数料は、複写機１００が設置される施設と加算料金の外部の支払先との間の契約等で定めることができる。
【００３８】
図１に戻り、処理過程記憶部１３０は、複写機１００の一連の処理過程を記憶する。たとえば施設の利用者がプリペイド／ポストペイカード等を所定のカード挿入部（不図示）に挿入することにより、複写機１００による複写を行うことができるようにした場合、処理過程記憶部１３０は、ある利用者がカードをカード挿入部に挿入してから、それが排出されるまでの間の一連の処理過程を記憶することができる。また、コイン投入器（不図示）にコインが投入されることにより、複写機１００による複写を行うことができるようにした場合、処理過程記憶部１３０は、コイン投入器にコインが投入されてからコインの返却処理が行われるまでの間の一連の処理過程を記憶することができる。これらは例示であって、その他種々の形態とすることができる。
【００３９】
複写条件取得部１１４は、タグ情報読取部１１２が取得した原稿の識別情報に基づき、複写条件記憶部１２２から対応する加算料金に関する情報やその他の情報を読み出す。複写処理制御部１１８は、複写条件取得部１１４が取得した情報に基づき、複写処理部１０４を制御する。
【００４０】
複写処理部１０４は、原稿読取部１０６、画像形成処理部１０８、および印刷処理部１１０を含む。原稿読取部１０６は、原稿を読み取る。画像形成処理部１０８は、原稿読取部１０６が読み取った原稿に基づき、画像データを生成する。印刷処理部１１０は、画像形成処理部１０８が生成した画像データを印刷して複写物を生成する。複写処理制御部１１８は、複写処理部１０４の処理結果を取得する。
【００４１】
算出部１１６は、複写処理部１０４の処理結果、および複写条件取得部１１４が取得した各種情報に基づき、加算料金の合計を算出する。複写履歴記憶部１２３は、算出部１１６が算出した加算料金の合計を記憶する。なお、算出部１１６は、加算料金の合計とともに、通常のコピー料金もあわせて算出することもできる。また、加算料金のうちから施設への手数料を支払う場合は、施設への手数料を減じて各分配先への加算料金の合計を算出することもできる。
【００４２】
出力処理部１２０は、複写処理制御部１１８の指示に基づき、たとえば複写条件取得部１１４が取得した複写条件等を図示しない表示部等に出力する処理を行う。
【００４３】
図３は、複写履歴記憶部１２３の内部構成の一例を示す図である。
複写履歴記憶部１２３は、識別情報欄と、加算ページ数欄と、加算料金合計欄と、分配先欄とを有する。このように加算料金合計と分配先を示す情報とを対応付けて記憶しておくことにより、後に分配先毎に加算料金総計額を算出することができ、加算料金の精算を容易に行うことができる。
【００４４】
図４は、本実施の形態における複写機の処理手順の一例を示すフローチャートである。
指示受付部１０２が原稿の複写指示を受け付けると（Ｓ１００のＹＥＳ）、複写処理制御部１１８は、タグ情報読取部１１２がその原稿に付された無線タグから識別情報を取得したか否かを判断する（Ｓ１０２）。タグ情報読取部１１２が無線タグから識別情報を取得した場合（Ｓ１０２のＹＥＳ）、複写条件取得部１１４は、処理過程記憶部１３０を参照して、その識別情報が前回の識別情報と同じか否かを判断する（Ｓ１０３）。この処理については後述する。
【００４５】
識別情報が前回と異なる場合（Ｓ１０３のＮＯ）、複写条件取得部１１４は、識別情報に基づき、複写条件記憶部１２２から複写条件を読み出す（Ｓ１０４）。複写処理制御部１１８は、複写条件取得部１１４が読み出した複写条件に基づき、その原稿の複写が可能か否かを判断する（Ｓ１０６）。複写が可能な場合（Ｓ１０６のＹＥＳ）、複写処理制御部１１８は、加算料金があるか否かを判断し（Ｓ１０７）、加算料金がある場合（Ｓ１０７のＹＥＳ）、複写条件を出力処理部１２０に送出する。出力処理部１２０は、複写条件を提示する処理を行う（Ｓ１０８）。複写条件の提示は、音声で行ってもよく、また表示部（不図示）等に表示させてもよい。これにより、コピー料金の他に著作権料等の加算料金が課される場合に、ユーザが加算料金に関する情報を知ることができ、ユーザがその情報を考慮して複写を行うか否かを判断することができる。
【００４６】
ステップＳ１０８において、出力処理部１２０は、複写条件を提示するとともに、ユーザに、その条件で複写を行うか否かを問い合わせる処理も行う。指示受付部１０２が、複写を実行する旨の指示をユーザから受け付けた場合（Ｓ１１０のＹＥＳ）、複写処理制御部１１８は、複写処理部１０４の各構成要素を制御して、原稿の複写処理を行う（Ｓ１１２）。また、ステップＳ１０７において、加算料金がない場合（Ｓ１０７のＮＯ）は、ステップＳ１１２に進む。つづいて、複写処理制御部１１８は、一連の複写処理を終了するか否かを判断する（Ｓ１１４）。以上のステップにおける一連の処理過程は、処理過程記憶部１３０に記憶される。一連の複写処理が終了すると（Ｓ１１４のＹＥＳ）、複写処理制御部１１８は、その旨および処理過程記憶部１３０に記憶された複写枚数や複写条件等を算出部１１６に送出する。算出部１１６は、たとえば複写枚数や複写条件に基づき、加算料金の合計を算出する（Ｓ１１６）。算出部１１６は、算出結果を複写履歴記憶部１２３に記録する（Ｓ１１８）。この後、精算処理が行われる（Ｓ１１９）。これにより処理を終了する。
【００４７】
ステップＳ１１４において、同じユーザが複写処理を継続して行う場合等、一連の複写処理を終了しない場合（Ｓ１１４のＮＯ）、ステップＳ１００に戻り、同様の処理を繰り返す。この後、ステップＳ１０２でタグ情報読取部１１２が取得した原稿の識別情報が、処理過程記憶部１３０に記憶された前回の識別情報と同じである場合には（Ｓ１０３のＹＥＳ）、複写処理制御部１１８は処理過程記憶部１３０を参照して、複写の可否を判断し（Ｓ１３０）、複写が可能な場合（Ｓ１３０のＹＥＳ）、ステップＳ１１２に進み、同様の処理を行う。これにより、たとえばユーザがある本の複写を連続して行う場合に、一回複写を行う毎に複写条件の提示等が行われることなく、スムーズに複写処理を行うことができる。
【００４８】
ステップＳ１１０において、ユーザが複写を行わないことを選択した場合（Ｓ１１０のＮＯ）、処理を終了する。
【００４９】
ステップＳ１０２において、タグ情報読取部１１２が原稿の識別情報を取得していない場合（Ｓ１０２のＮＯ）、複写処理制御部１１８は、出力処理部１２０に通知を行い、出力処理部１２０は、エラー通知を行う（Ｓ１２０）。出力処理部１２０は、たとえば「識別情報が読み取れません。無線タグを確認して下さい。」等の通知を行う。所定時間が経過するまで（Ｓ１２２のＮＯ）、この処理を繰り返す。ステップＳ１２２において、指示受付部１０２が複写指示を受け付けてから（Ｓ１００）所定時間が経過すると（Ｓ１２２のＹＥＳ）、複写処理制御部１１８は、出力処理部１２０に通知を行い、出力処理部１２０は、終了通知を行う（Ｓ１２４）。出力処理部１２０は、たとえば「無線タグの読み取りができませんでしたので、コピーを行えませんでした。窓口にお越し下さい。」等の通知を行う。これにより、処理を終了する。
【００５０】
ステップＳ１０６において、複写が不可の場合（Ｓ１０６のＮＯ）、複写処理制御部１１８は、出力処理部１２０に通知を行い、出力処理部１２０は、複写ができないことを通知する（Ｓ１２６）。出力処理部１２０は、たとえば「この原稿はコピーが許可されていません。」等の提示を行う。つづいて、出力処理部１２０は、複写条件に所定の処理を行う旨の設定がある場合（Ｓ１２７のＹＥＳ）は、その処理を行う（Ｓ１２８）。たとえば、複写条件に「通知」という処理が設定されている場合、設定された連絡先に通知を行う。また、複写条件に「記録」という処理が設定されている場合、所定の記憶部にその原稿の識別情報等を記録する。ここで、所定の記憶部は複写履歴記憶部１２３とすることもでき、複写履歴記憶部１２３とは別の記憶部とすることもできる。以上により、処理を終了する。
【００５１】
次に、図２に示した複写条件を例として、図４のフローチャートの具体例を説明する。以下の例では、コピー料金は１０円／枚と設定されているものとする。
【００５２】
まず、識別情報「００２」の原稿の複写指示があった場合の処理を説明する。
指示受付部１０２が複写指示を受け（Ｓ１００のＹＥＳ）、タグ情報読取部１１２がタグ情報を取得すると（Ｓ１０２のＹＥＳ）、複写条件取得部１１４は、処理過程記憶部１３０を参照して、タグ情報読取部１１２が取得した原稿の識別情報が前回の識別情報と同じか否かを判断する（Ｓ１０３）。識別情報が同じでない場合（Ｓ１０３のＮＯ）、複写条件取得部１１４は、複写条件記憶部１２２から複写条件を取得する（Ｓ１０４）。複写処理制御部１１８は、この原稿の複写が可能か否かを判断する（Ｓ１０６）。ここで、識別情報「００２」の原稿は複写可となっており（Ｓ１０６のＹＥＳ）、コピー料以外の課金があるので（Ｓ１０７のＹＥＳ）、出力処理部１２０は、複写条件を提示する（Ｓ１０８）。出力処理部１２０は、たとえば「この原稿をコピーするためにはコピー料（１０円／枚）の他に以下の著作権料が必要です；１００円／ページ；コピーを続行しますか？；はい／いいえ」等の表示を行う。これに対してユーザが「はい」を選択した場合（Ｓ１１０のＹＥＳ）、複写処理を行う（Ｓ１１２）。
【００５３】
ステップＳ１０３において、識別情報が前回の識別情報と同じ場合（Ｓ１０３のＹＥＳ）、複写処理制御部１１８は、処理過程記憶部１３０を参照して、その原稿の複写が可能か否かを判断する（Ｓ１３０）。ここで、識別情報「００２」の原稿は複写可となっている（Ｓ１３０のＹＥＳ）ので、ステップＳ１１２に進み、複写処理を行う。
【００５４】
そのページの複写処理を行うと、複写処理制御部１１８は、複写処理を終了するか否かを判断する（Ｓ１１４）。複写処理を終了しない場合（Ｓ１１４のＮＯ）、ステップＳ１００に戻り、同様の処理を繰り返す。
【００５５】
ステップＳ１１４において、複写処理を終了する場合（Ｓ１１４のＹＥＳ）、算出部１１６は、処理過程記憶部１３０に記憶された処理過程に基づき、一連の処理における加算料金の合計を算出する（Ｓ１１６）。算出した加算料金の合計は複写履歴記憶部１２３に記憶される（Ｓ１１８）。つづいて、精算処理が行われる（Ｓ１１９）。
【００５６】
次に、識別情報「００１」の原稿の複写指示があった場合の処理を説明する。
ステップＳ１００からステップＳ１０６までの処理は上述した識別情報「００２」の原稿と同様であるので、説明を省略する。
【００５７】
ここで、識別情報「００１」の原稿は複写可となっており（Ｓ１０６のＹＥＳ）、コピー料以外の課金がないので（Ｓ１０７のＮＯ）、ステップＳ１０８およびステップＳ１１０の処理を省略してステップＳ１１２に進み、複写処理を行う。
【００５８】
次に、識別情報「００４」の原稿の複写指示があった場合の処理を説明する。
ステップＳ１００からステップＳ１０４までの処理は上述した識別情報「００２」の原稿と同様であるので、説明を省略する。
【００５９】
ここで、識別情報「００４」の原稿は複写不可となっているため（Ｓ１０６のＮＯ）、出力処理部１２０は、複写が不可であることを示す情報を通知する（Ｓ１２６）。また、識別情報「００４」の原稿は、処理がとくに設定されていないため（Ｓ１２７のＮＯ）、これで処理を終了する。
【００６０】
次に、識別情報「００５」の原稿の複写指示があった場合の処理を説明する。
ステップＳ１００からステップＳ１０４までの処理は上述した識別情報「００２」の原稿と同様であるので、説明を省略する。
【００６１】
ここで、識別情報「００５」の原稿は複写不可となっているため（Ｓ１０６のＮＯ）、出力処理部１２０は、複写が不可であることを示す情報を通知する（Ｓ１２６）。また、識別情報「００５」の原稿は、処理として、「通知」が設定されているため（１２７のＹＥＳ）、設定された送信先「○○○○−××××」に識別情報「００５」の原稿の複写指示があったことを通知する（Ｓ１２８）。送信先への通知は、電話により行うこともでき、ファクシミリ通信により行うこともでき、また電子メール等により行うこともできる。
【００６２】
また、識別情報「００６」の原稿の複写指示があった場合も、識別情報「００５」の原稿の複写指示があった場合と同様にステップＳ１００〜ステップＳ１２７までの処理が行われる。識別情報「００６」の原稿は、処理として、「記録」が設定されているため（１２７のＹＥＳ）、ステップＳ１２８において、識別情報「００６」の原稿の複写指示があったことを示す情報が所定の記憶部に記録される（Ｓ１２８）。
【００６３】
以上のように、複写不可である原稿の複写指示があった場合に、所定の送信先への通知が行われたり、所定の記憶部への記録がされることにより、複写が禁止されている原稿の複写を行おうとしたことを示す情報を管理することができる。
【００６４】
本実施の形態における複写機１００によれば、複写処理を行う度に、原稿に付された無線タグから識別情報が読み取られ、複写条件に基づき、複写の可否や加算料金の有無が判断され、複写処理に応じた加算料金が記録されるので、加算料金の管理を容易に行うことができる。また、原稿に付された無線タグの情報に基づき、加算料金等が取得されるので、他の原稿の加算料金等とのすり替えや間違いを防止することができ、正確な加算料金を把握することができる。
【００６５】
（第二の実施の形態）
第一の実施の形態においては、たとえばタグ情報が読み取れない場合には複写が行えない例を示したが、本実施の形態においては、必要に応じて、そのような場合でも複写できるように設定することができる。
【００６６】
図５は、本実施の形態における複写機の構成を示すブロック図である。
複写機１００は、第一の実施の形態において図１を参照して説明した複写機１００に加えて、さらに設定処理部１２４、認証情報記憶部１２６、および設定記憶部１２８を含む。本実施の形態において、図１を参照して説明した複写機１００の各構成要素と同様のものには同様の符号を付し、適宜説明を省略する。
【００６７】
設定記憶部１２８は、タグ情報読取部１１２が原稿に付された無線タグからタグ情報を読み取れない場合であっても、複写処理部１０４による複写を行えるようにする設定を記憶する。複写処理制御部１１８は、設定記憶部１２８を参照して、複写処理部１０４の制御をすることができる。
【００６８】
たとえば、設定記憶部１２８は、原稿読取部１０６による原稿の読み取り形態に応じて、無線タグから情報を読み取れない場合であっても、複写処理部１０４による複写を行えるようにする設定を記憶することができる。たとえば、原稿の読み取りをＡＤＦ（オートドキュメントフィーダ：自動給紙装置）で行う場合は無線タグから情報を読み取れない場合であっても、複写を行うようにする設定を記憶することができる。これにより、たとえば著作権料等の加算料金が設定されている確率の高い本や冊子等を複写する際には無線タグが付いていないと複写が行えないようにするとともに、著作権料等の加算料金が設定されていない確率の高い１枚ずつの紙原稿等は自由に複写できるようにすることができる。
【００６９】
設定処理部１２４は、指示受付部１０２を介してユーザから設定記憶部１２８の設定情報の変更や追加等の指示があった場合に、ユーザを認証して、設定記憶部１２８の設定情報の変更や追加等を行う。
【００７０】
たとえば、設定処理部１２４は、ユーザにユーザＩＤおよびパスワードを入力させたり、ＩＤカードを入力させたりすることができる。認証情報記憶部１２６は、権限のあるユーザのユーザＩＤとパスワードとを対応付けて記憶したり、ＩＤカード情報を記憶する。設定処理部１２４は、ユーザから受け付けたユーザＩＤ／パスワードやＩＤカードの情報と、認証情報記憶部１２６に記憶された情報とを照合してユーザを認証する。次いで、設定処理部１２４は、認証されたユーザからの指示を認証し、設定記憶部１２８の設定情報を変更したり追加したりする。これにより、複写機１００が設置されている図書館等の施設の職員が設定記憶部１２８の設定情報を変更することができる。
【００７１】
また、設定記憶部１２８には、タグ情報読取部１１２が原稿に付された無線タグからタグ情報を読み取れない場合に、一定の制限の下で複写を可能とする制限情報を記憶することもできる。ここで、複写を可能とする制限情報は、たとえば複写可能な枚数の制限や、白黒でのみ複写可能とすることができる。
【００７２】
図６は、本実施の形態における複写機の処理手順の一例を示すフローチャートである。
指示受付部１０２が原稿の複写指示を受け付けると（Ｓ１４０のＹＥＳ）、複写処理制御部１１８は、設定記憶部１２８を参照して、その原稿を複写するのにタグ情報が必要か否かを判断する（Ｓ１４２）。タグ情報が必要ない場合（Ｓ１４２のＮＯ）、ステップＳ１７４に進み、通常の複写処理が行われる。
【００７３】
ステップＳ１４２においてタグ情報が必要な場合（Ｓ１４２のＹＥＳ）、複写処理制御部１１８は、タグ情報読取部１１２がその原稿のタグ情報を取得したか否かを判断する（Ｓ１４４）。タグ情報読取部１１２が原稿に付されたタグ情報を取得した場合（Ｓ１４４のＹＥＳ）、複写条件取得部１１４は、処理過程記憶部１３０を参照して、タグ情報読取部１１２が取得した識別情報が一連の処理における前回の識別情報と同じか否かを判断する（Ｓ１４５）。
【００７４】
ステップＳ１４５〜ステップＳ１６１までの処理は、第一の実施の形態において図４を参照して説明したステップＳ１０３〜ステップＳ１１９と同じであるので、ここでは説明を省略する。
【００７５】
ステップＳ１４４において、タグ情報読取部１１２が原稿に付されたタグ情報を取得していない場合（Ｓ１４４のＮＯ）、複写処理制御部１１８は、設定記憶部１２８を参照して、複写可能制限の有無を判断する（Ｓ１６２）。複写可能制限がある場合（Ｓ１６２のＹＥＳ）、ステップＳ１４９に進み、加算料金がある場合（Ｓ１４９のＹＥＳ）、複写処理制御部１１８は、複写可能制限の条件を出力処理部１２０に送出する。出力処理部１２０は、複写条件を提示する処理を行う（Ｓ１５０）。この場合、タグ情報の読み取りが行われていないため、加算料金は課金されないが、たとえばカラーの印刷をしたい場合に白黒でしか印刷できないというような制限が課せられることがある。そのような場合でも複写を行えば、通常のコピー料金は課せられる。ユーザに複写可能制限の条件を提示してユーザに複写するか否かを選択させることにより、ユーザが所望しない無駄な複写処理を防ぐことができる。
【００７６】
ステップＳ１６２において、複写可能制限がない場合（Ｓ１６２のＮＯ）、ステップＳ１６４〜ステップＳ１６８までの処理は、第一の実施の形態において図４を参照して説明したステップＳ１２０〜ステップＳ１２４と同じであるので、ここでは説明を省略する。
【００７７】
本実施の形態の複写機１００によれば、第一の実施の形態における複写機１００と同様の効果が得られる。また、本実施の形態において、無線タグからの情報が読み取れない場合でも、一定の条件の下で複写が行えるようにすることができるので、柔軟な対応を行うことができる。
【００７８】
以上の各実施の形態の複写機１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心にハードウエアとソフトウエアの任意の組合せによって実現される。そして、その実現方法、装置にはいろいろな変形例があることは、当業者には理解されるところである。実施の形態で説明した各図は、ハードウエア単位の構成ではなく、機能単位のブロックを示している。
【００７９】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００８０】
以上の実施の形態で説明した複写機１００の構成のうち、たとえば複写条件記憶部１２２や複写履歴記憶部１２３は、複数の複写機１００で共有することができる。図７は、複数の複写機１００がネットワーク１５０を介して第一の管理装置２００および第二の管理装置２０２と接続された複写サービスシステム３００の構成を示すブロック図である。ここで、各複写機１００は、複写条件記憶部１２２を有しない構成とすることができる。さらに、各複写機１００は、複写履歴記憶部１２３を有しない構成とすることもできる。第一の管理装置２００は、複写条件記憶部１２２を含み、各複写機１００の複写条件取得部１１４は、ネットワーク１５０を介して第一の管理装置２００の複写条件記憶部１２２から複写条件を取得する。また、第二の管理装置２０２は、複写履歴記憶部１２３を含み、各複写機１００の出力処理部１２０は、算出部１１６が算出した算出結果をネットワーク１５０を介して第二の管理装置２０２に送信する。また、各複写機１００にも複写履歴記憶部１２３を設けておき、所定期間毎に各複写機１００の複写履歴記憶部１２３から第二の管理装置２０２の複写履歴記憶部１２３に複写履歴情報を送信するようにすることもできる。
【００８１】
このように、複写条件記憶部１２２や複写履歴記憶部１２３を複数の複写機１００で共有することにより、管理が容易となるとともに正確な管理を行うことができる。たとえば、ある原稿について、著作権の保護期間が終了する等して加算料金が課されなくなった場合に、第一の管理装置２００の複写条件記憶部１２２を更新するだけで、すべての複写機１００でこの情報を反映させた処理をすぐに行うことができる。
【００８２】
また、以上の実施の形態においては、原稿に付された無線タグにその原稿の識別情報が記憶されている場合を例として説明したが、無線タグ自体に加算料金に関する情報や加算料金の分配先の識別情報等が記憶されていてもよい。この場合、無線タグに原稿の識別情報のみが記憶されている場合と、無線タグに加算料金に関する情報等が記憶されている場合とで複写機１００の処理手順が異なる。すなわち、無線タグに加算料金に関する情報等が記憶されている場合は、複写条件取得部１１４が複写条件記憶部１２２から複写条件を取得する手順は不要となる。ある施設において、すべての原稿（書籍等）に付された無線タグが加算料金に関する情報等を記憶している場合、複写機１００は、複写条件記憶部１２２や複写条件取得部１１４を有しない構成とすることもできる。
【００８３】
また、タグ情報読取部１１２は、タグライタの機能を有してもよく、原稿に付された無線タグが上書き可能なものである場合、たとえば外部に設けられた複写条件記憶部１２２の情報に基づき、無線タグの情報を書き換えたりすることもできる。
【００８４】
以上の実施の形態においては、複写を行う際に、コピー料金が課される場合を例として説明したが、本発明は、たとえばオフィス等、コピー料金自体は課されないような場所に配置された複写機にも適用することができる。
【００８５】
以上の実施の形態において、タグ情報読取部１１２は、指示受付部１０２がユーザから原稿の複写指示を受け付けると、その原稿に付された無線タグの情報を読み取る例を説明したが、タグ情報読取部１１２は、複写機１００に原稿がセットされた時点でその原稿に付された無線タグの情報を読み取るようにすることもできる。出力処理部１２０は、複写条件取得部１１４が取得した加算料金等の複写条件を表示部（不図示）に出力することができる。このようにすれば、ユーザが複写指示を行う前に、その原稿を複写するための加算料金を確認することができる。
【００８６】
以上の実施の形態において、書籍を例として説明したが、原稿は、１枚の紙や複数の紙を束ねたバインダ（ファイルバインダ）等に無線タグを付したものとすることもできる。たとえば、原稿が１枚の紙または複数の紙を束ねたバインダである場合、複写機で複写をするためには、バインダから紙を取り出す必要がある。複写機は、バインダに付された無線タグからタグ情報を読み取る無線タグのリーダをさらに含むことができる。このバインダ用のリーダは、複写機１００に備え付けることもでき、複写機１００の近傍に設置することもできる。ユーザは、バインダに束ねられた紙の複写を行う際は、バインダを当該リーダによりタグ情報を読み取り可能な位置に配置する。また、当該リーダは、タグ情報を読み取り可能な位置にバインダが配置された場合、そのバインダに付された無線タグからタグ情報を読み取り、複写機１００の複写条件取得部１１４に通知することができる。出力処理部１２０は、そのタグ情報に基づき複写条件取得部１１４が取得した加算料金等の複写条件を表示部（不図示）に出力することができる。
【００８７】
以上の実施の形態において説明した複写機は、ファクシミリ、プリンタ、コピー、スキャナ機能等を統合したネットワーク複合機とすることができる。
【図面の簡単な説明】
【００８８】
【図１】実施の形態における複写機の構成を示すブロック図である。
【図２】複写条件記憶部の内部構成の一例を示す図である。
【図３】複写履歴記憶部の内部構成の一例を示す図である。
【図４】実施の形態における複写機の処理手順の一例を示すフローチャートである。
【図５】実施の形態における複写機の構成を示すブロック図である。
【図６】実施の形態における複写機の処理手順の一例を示すフローチャートである。
【図７】実施の形態における複写機を含む複写サービスシステムの構成を示すブロック図である。
【符号の説明】
【００８９】
１００  複写機
１０２  指示受付部
１０４  複写処理部
１０６  原稿読取部
１０８  画像形成処理部
１１０  印刷処理部
１１２  タグ情報読取部
１１４  複写条件取得部
１１６  算出部
１１８  複写処理制御部
１２０  出力処理部
１２２  複写条件記憶部
１２３  複写履歴記憶部
１２４  設定処理部
１２６  認証情報記憶部
１２８  設定記憶部
１３０  処理過程記憶部
１５０  ネットワーク
２００  第一の管理装置
２０２  第二の管理装置
３００  複写サービスシステム
【図１】
2006133509.tif 000003
【図２】
2006133509.tif 000004
【図３】
2006133509.tif 000005
【図４】
2006133509.tif 000006
【図５】
2006133509.tif 000007
【図６】
2006133509.tif 000008
【図７】
2006133509.tif 000009